(57)【要約】【課題】簡単な構成で、各電子基板に当てるファン部の風量を容易に調整すること。【解決手段】筐体１００は、電子部品が実装された複数の電子基板５００を互いに対向させた状態で搭載する。ファン部２１０は、筐体１００内部に搭載された複数の電子基板５００の一端部側に設けられ、複数の電子基板５００に向けて風を送る。圧損調整部３００は、複数の電子基板５００の他端部側に設けられ、複数の電子基板５００の間を通る風量を調整する。【選択図】      図１
2013235995.tif 000002
【特許請求の範囲】
【請求項１】
電子部品が実装された複数の電子基板を互いに対向させた状態で搭載するための筐体と、
前記筐体内部に搭載された前記複数の電子基板の一端部側に設けられ、前記複数の電子基板の間に風を送るファン部と、
前記複数の電子基板の他端部側に設けられ、前記ファン部から送出されて前記複数の電子基板の間を通る風量を調整する圧損調整部とを備えた電子機器。
【請求項２】
前記圧損調整部は、
前記複数の電子基板の間を通る風を前記複数の電子基板の上端部側で遮蔽する遮蔽板と、
前記複数の電子基板の間を通る風量を増減できるように前記遮蔽板を移動する遮蔽板可動部とを備えた請求項１に記載の電子機器。
【請求項３】
前記遮蔽板可動部は、
前記遮蔽板に接合された遮蔽板回転軸部を備え、
前記遮蔽板を前記遮蔽板回転軸部を中心に回転させることにより、前記複数の電子基板の間を通る風量を増減する請求項２に記載の電子機器。
【請求項４】
前記遮蔽板が動かない状態になるように前記遮蔽板可動部を保持する遮蔽板保持部を備えた請求項２または３に記載の電子機器。
【請求項５】
前記遮蔽板保持部は、前記遮蔽板可動部を付勢部材によって保持する請求項４に記載の電子機器。
【請求項６】
前記遮蔽板の位置を示す遮蔽板位置表示部を備えた請求項１〜５のいずれか１項に記載の電子機器。
【請求項７】
前記複数の電子基板の一端部側で、前記ファン部の位置を調整するファン部位置調整部を備えた請求項１〜６のいずれか１項に記載の電子機器。
【請求項８】
前記ファン部位置調整部は、
前記ファン部を前記複数の電子基板の面に対して略垂直方向に移動させるファン部可動部を備えた請求項７に記載の電子機器。
【請求項９】
前記ファン部可動部は、
円筒状の歯車であるピニオンギアと、
前記ピニオンギアが取り付けられ、前記筐体に保持されたピニオンギア回転軸と、
前記ファン部に取り付けられ、前記ピニオンギアと噛みあうラックギアとを備え、
前記ピニオンギアを前記ピニオンギア回転軸を中心に回転させることにより、前記ファン部を前記複数の電子基板の面に対して略垂直方向に移動させる請求項８に記載の電子機器。
【請求項１０】
前記ファン部が動かない状態になるように前記ファン部可動部を保持するファン部保持部を備えた請求項８または９に記載の電子機器。
【発明の詳細な説明】
【技術分野】
【０００１】
本発明は、例えば、電子部品が実装された複数の電子基板をファン部により冷却する電子機器に関する。
【背景技術】
【０００２】
パソコンやサーバなどの電子機器には、電子部品が実装された複数の電子基板や、これらに電源を供給する電源が、高密度に搭載されている。このような電子機器を作動させると、当該電子機器内の電子基板などが高温になってしまう。このため、通常、ファン部を電子機器内に設け、このファン部からの送風によって複数の電子基板を冷却している。
【０００３】
ここで、１つのファン部により複数の電子基板を冷却する場合、１つのファン部により送風される冷却風を複数の電子基板の各々に分配する必要がある。
【０００４】
このため、例えば、特許文献１に記載の技術では、冷却対象物の近傍に温度センサとルーバを設け、冷却対象物周辺の温度変化に応じて電子制御でルーバを動かして、冷却対象物への風向を変更していた。
【０００５】
その他、関連する技術が例えば特許文献２、３および４に開示されている。
【先行技術文献】
【特許文献】
【０００６】
【特許文献１】特開２００９−１２３８８７号公報
【特許文献２】特開２００８−４７６５８号公報
【特許文献３】特開２００２−３６８４６９号公報
【特許文献４】特開平４−１２０７９７号公報
【発明の概要】
【発明が解決しようとする課題】
【０００７】
しかしながら、特許文献１に記載の技術では、１つのファン部が受け持つ冷却対象物が増えると、ルーバの形状が複雑になるうえ、ルーバの数量も増える。このため、冷却対象物に当てる風量の調整も複雑となるという問題があった。また、対象物周辺の温度を計測する温度センサや、ルーバを動かす電動モータなど、調整部品を多く設ける必要が生じるので、冷却対象物に当てる風量の調整も複雑となり、部品増加により製造コストも高価になるという問題があった。また、ファン部により発生される冷却風は、通常、圧力損失（空気抵抗）が少ない方向に流れるので、ファン部から送風される風の向きを変更するだけでは、冷却対象物に当てる冷却風の風量を調整するにも限界が生じる。
【０００８】
本発明は、このような事情に鑑みてなされたものであり、本発明の目的は、簡単な構成で、各電子基板に当てるファン部の風量を容易に調整することができる電子機器を提供することにある。
【課題を解決するための手段】
【０００９】
本発明の電子機器は、電子部品が実装された複数の電子基板を互いに対向させた状態で搭載するための筐体と、前記筐体内部に搭載された前記複数の電子基板の一端部側に設けられ、前記複数の電子基板に向けて風を送るファン部と、前記複数の電子基板の他端部側に設けられ、前記複数の電子基板の間を通る風量を調整する圧損調整部とを備える。
【発明の効果】
【００１０】
本発明にかかる電子機器によれば、簡単な構成で、各電子基板に当てるファン部の風量を容易に調整することができる。
【図面の簡単な説明】
【００１１】
【図１】本発明の第１の実施の形態における電子機器の構成を模式的に示す断面図である。
【図２】圧損調整部の構成を説明するための図であって、遮蔽板を固定した状態を示す図である。
【図３】圧損調整部の構成を説明するための図であって、遮蔽板を動かせる状態を示す図である。
【図４】本発明の第２の実施の形態における電子機器の構成を模式的に示す断面図である。
【図５】ファン部位置調整部の構成を説明するための図であって、ファン部を固定した状態を示す図である。
【図６】ファン部位置調整部の構成を説明するための図であって、ファン部を動かせる状態を示す図である。
【図７】本発明の第３の実施の形態における電子機器の構成を模式的に示す外観図である。である。
【発明を実施するための形態】
【００１２】
＜第１の実施の形態＞
本発明の第１の実施の形態における電子機器１０００について、図に基づいて説明する。
【００１３】
図１は、電子機器１０００の構成を模式的に示す断面図である。なお、図１は、紙面の上下方向を鉛直方向として示している。
【００１４】
図１に示されるように、電子機器１０００は、筐体１００と、ファン部２１０と、圧損調整部３００と、上面開口板４００とを備えている。
【００１５】
筐体１００は、図１に示されるように、複数の電子基板５００を互いに対向させた状態で搭載する。すなわち、複数の電子基板５００の各々は、互いに向かい合わせて配置されている。また、筐体１００は、直方体の外形を有する。筐体１００は中間板１１０とファン部保持板１２０とを有する。
【００１６】
図１に示されるように、中間板１１０は、鉛直方向に対して略垂直な方向（図１の紙面で左右方向）に延在するように、筐体１００の下面側に設けられている。図１に示されるように、中間板１１０には、複数のコネクタ１１１が取り付けられている。複数のコネクタ１１１の各々には、電子基板５００を取り付けることができる。また、図１に示されるように、複数の中間板開口部１１２が、中間板１１０のうち、複数のコネクタ１１１の間に、形成されている。ファン部２１０から送られる風は、この複数の中間板開口部１１２を介して、ファン部２１０側から複数の電子基板５００側へ流れる。
【００１７】
図１に示されるように、ファン部保持板１２０は、鉛直方向に対して略垂直な方向（図１の紙面で左右方向）に延在するように、筐体１００の下面側に設けられている。ファン部保持板１２０は、ファン部２１０の背面側（図１にて紙面下側）を保持する。また、ファン部保持板１２０は、保持板開口部１２１を有する。この保持板開口部１２１は、ファン部５００の中央部に対応して、形成されている。ファン部２１０は、保持板開口部１２１を介して、ファン部保持板１２０の下面側の空気を、複数の電子基板５００側へ送る。
【００１８】
ファンユニット２００は、ファン部２１０とファン部取り付け台２２０を含んで構成される。ファン部２１０は、複数の電子基板５００の一端部側（図１では下端部側）に設けられている。ファン部２１０は、図１に示されるように、複数の中間板開口部１１２を介して、複数の電子基板５００に向けて風を送る。また、ファン部取り付け台２２０は、ファン部２１０の背面（図１の紙面の下側）を保持する。すなわち、ファン部２１０の背面は、ファン部取り付け台２２０を介して、筐体１００のファン部保持板１２０に取り付けられている。
【００１９】
図１に示されるように、圧損調整部３００は、複数の電子基板５００の他端部側（図１では上端部側）に設けられている。圧損調整部３００は、電子基板５００の間毎に、設けられている。圧損調整部３００は、各電子基板５００の上端部を保持する後述のフレーム６００に取り付けられている。圧損調整部３００は、複数の電子基板５００間で生じる圧力損失を調整して、複数の電子基板５００の間を通るファン部２１０からの風の風量を調整する。すなわち、電子基板５００には複数の電子部品５２０が実装される。このため、電子部品５２０の大きさや形状や数などによって、複数の電子基板５００間を通る風圧も変わる。また、電子部品５２０の種類によっては、例えばＣＰＵ（Central Processing Unit：中央処理装置）のように、強い風による冷却を必要とするものもある。圧損調整部３００は、各電子基板５００上に実装された電子部品５２０の大きさや形状や数や種類などを考慮して、複数の電子基板５００間で生じる圧力損失を調整する。そして、圧損調整部３００は、この圧力損失を調整に従って、ファン部２１０から送出され、複数の電子基板５００の間を通る風量を調整する。圧損調整部３００の詳細は、後で図２および図３を用いて説明する。
【００２０】
図１に示されるように、上面開口板４００は、筐体１００の上面を構成する。上面板４００は、複数の上面開口部４１０を有する。
【００２１】
図１に示されるように、電子基板５００は、基材５１０と電子部品５２０とを含んで構成される。基材５１０は、矩形状の平板である。基材５１０の材料には、例えば、ガラスエポキシ樹脂などが用いられている。電子部品５２０は、例えば、抵抗や、コイルや、コンデンサや、ＣＰＵなどである。電子部品５２０は、基材５１０の表面上に実装されている。電子基板５００の上端部は、フレーム６００に取り付けられる。また、フレーム６００が取り付けられた電子基板５００を筐体１００に取り付けることにより、電子基板５００の下端部がコネクタ１１１に挿入される。これにより、電子基板５００およびフレーム６００が筐体１００の中間板１１０に保持される。
【００２２】
図１に示されるように、フレーム６００は、複数の電子基板５００の上端部側（図１の紙面で上側）を保持する。フレーム６００は、各電子基板５００を収容する。また、フレーム６００は、各電子基板５００を収容した状態で、筐体１００に取り付けることができる。すなわち、フレーム６００に電子基板５００を取り付けた状態で、電子基板５００下端部（図１の紙面で下側）をコネクタ１１１に挿入することができる。
【００２３】
ここで、圧損調整部３００の構成について、図２および図３を用いて、詳しく説明する。
【００２４】
図２は、圧損調整部３００の構成を説明するための図であって、遮蔽板３１０を固定した状態を示す図である。図３は、圧損調整部３００の構成を説明するための図であって、遮蔽板３１０を動かせる状態を示す図である。
【００２５】
図２および図３に示されるように、圧損調整部３００は、遮蔽板３１０と、遮蔽板回転軸３２０と、遮蔽板調整用ツマミ部３３０と、遮蔽板調整用ツマミ受け部３４０と、スプリング３５０と、スプリングストッパー部３６０とを含んで構成されている。
【００２６】
遮蔽板３１０は、複数の電子基板５００の間を通る風を複数の電子基板５００の他端部側（上端部側）で遮蔽する。遮蔽板３１０は、図１に示されるように、回転できるようにフレーム６００に保持される。遮蔽板３１０は、最大でプリント基板５００間の冷却風路を完全に塞ぐ幅に設定されている。そして、遮蔽板３１０の回転角度に応じて、プリント基板５００間の冷却風路を全閉から全開まで調整できるように設定されている。
【００２７】
図２および図３に示されるように、遮蔽板回転軸３２０は、遮断板３１０に接合されている。遮蔽板回転軸３２０は、図２および図３に示されるように、当該遮蔽板回転軸３２０の軸方向（図２の矢印Ａの方向、図３の矢印Ｂの方向）に移動できるように、フレーム６００に取り付けられている。
【００２８】
遮蔽板調整用ツマミ部３３０は、遮断板回転軸３２０の一端部に取り付けられている。この遮断板調整用ツマミ部３３０は、遮断板回転軸３２０を中心に遮断板３１０を回転させるために、設けられている。すなわち、この遮断板調整用ツマミ部３３０を手で摘んで、これを回転することにより、遮断板３１０が、遮断板調整用ツマミ部３３０の回転に連動して、遮断板回転軸３２０を中心に回転する。これにより、図１に示されるように、筐体１００の上面側で遮蔽板３１０が開閉される。このように、遮断板回転軸３２０を中心に遮蔽板３１０を回転させることにより、複数の電子基板５００の間の圧力損失を調整でき、複数の電子基板５００の間を通る風量を増減することができる。
【００２９】
図２では、遮蔽板調整用ツマミ部３３０が遮断板回転軸３２０の軸方向に押し込まれた状態を示す。一方、図３では、遮蔽板調整用ツマミ部３３０が遮断板回転軸３２０の軸方向に引き出された状態を示す。遮断板調整用ツマミ部３３０には、後述の遮断板調整用ツマミ受け部３４０と同様に、凹凸状の複数の嵌合爪３３１が形成されている。この複数の嵌合爪３３１の機能については、後述する。
【００３０】
なお、少なくとも遮蔽板回転軸部３２０は、本発明の遮蔽板可動部を構成する。すなわち、この遮蔽軸可動部は、遮蔽板回転軸部３２０を中心に遮蔽板３１０を回転させることにより、複数の電子基板５００の間の圧力損失を調整し、複数の電子基板５００の間を通る空気量を増減する。
【００３１】
遮蔽板調整用ツマミ受け部３４０は、フレーム６００に固定して取り付けられている。この遮蔽板調整用ツマミ受け部３４０は、遮断板調整用ツマミ部３３０の大きさに対応して形成されている。また、遮断板調整用ツマミ受け部３４０の中心部には、遮断板回転軸３２０が貫通している。なお、遮断板調整用ツマミ受け部３４０には、前述の遮断板調整用ツマミ部３３０と同様に、凹凸状の複数の嵌合爪３４１が形成されている。この複数の嵌合爪３４１の機能については、前述した複数の嵌合爪３３１と併せて、後述する。
【００３２】
スプリング３５０は、遮蔽板回転軸部３２０のうち、遮蔽板調整用ツマミ部３３０が取り付けられた側と反対側に、取り付けられている。また、スプリング３５０は、図２および図３に示されるように、フレーム６００とスプリングストッパー部３６０の間に挟み込まれている。スプリング３５０の反力は、遮断板回転軸３２０を介して、遮蔽板調整用ツマミ部３３０に加わる。したがって、遮蔽板調整用ツマミ部３３０は、スプリング３５０の反力によって、遮断板調整用ツマミ受け部３４０に常に押し付けられている。
【００３３】
図２では、遮蔽板調整用ツマミ部３３０が遮断板回転軸３２０の軸方向に押し込まれた状態を示す。図３では、遮蔽板調整用ツマミ部３３０が遮断板回転軸３２０の軸方向に引き出された状態を示す。
【００３４】
スプリングストッパー部３６０は、遮蔽板回転軸部３２０のうち、遮蔽板調整用ツマミ部３３０が取り付けられた側と反対側に、固定して取り付けられている。スプリングストッパー部３６０は、フレーム６００との間で、スプリング３５０を挟持する。
【００３５】
次に、複数の嵌合爪３３１および複数の嵌合爪３４１の機能について、説明する。前述の通り、複数の嵌合爪３３１は、断板調整用ツマミ部３３０に形成されている。また、複数の嵌合爪３４１は、遮断板調整用ツマミ受け部３４０に形成されている。
【００３６】
そして、図２および図３に示されるように、複数の嵌合爪３３１および複数の嵌合爪３４１は、互いに向かい合うように配置される。
【００３７】
図２に示されるように、遮蔽板調整用ツマミ部３３０が遮断板回転軸３２０の軸方向に押し込まれた場合、複数の嵌合爪３３１および複数の嵌合爪３４１は互いに嵌合する。このとき、遮蔽板可動部としての遮蔽板回転軸部３２０は、複数の嵌合爪３３１および複数の嵌合爪３４１によって、遮蔽板３１０が動かない状態になるように保持される。この結果、遮蔽板３１０は、筐体１００やフレーム６００に対して回転しない状態で保持される。
【００３８】
図３に示されるように、遮蔽板調整用ツマミ部３３０が遮断板回転軸３２０の軸方向に引き出された場合、複数の嵌合爪３３１および複数の嵌合爪３４１は互いに嵌合しない。このとき、遮蔽板３１０は、遮蔽板回転軸部３２０を中心に回転することができる。
【００３９】
なお、少なくとも複数の嵌合爪３３１および複数の嵌合爪３４１は、本発明の遮蔽板保持部を構成する。この遮蔽板保持部は、遮蔽板３１０が動かない状態になるように遮蔽板可動部（遮蔽板回転軸部３２０を含む。）を保持する。
【００４０】
次に、本発明の第１の実施の形態における電子機器１０００の動作説明をする。
【００４１】
図１に示されるように、ファン部２１０は、作動すると、当該ファン部２１０の下側の空気を筐体１００内の下面側から上面側へ送り始める。
【００４２】
ファン部２１０から送出される風は、保持板開口部１１２を介して、複数の電子基板５００の間へ流れる（図１の各矢印を参照。）。このとき、ファン部２１０から送出される風は複数の電子基板５００の間を通る間に、各電子基板５００を冷却する。
【００４３】
ファン部２１０から送出される風は、複数の電子基板５００の間を通って、筐体１００の上面板４００側へ流れる。このとき、遮蔽板３１０の開閉量に応じて、筐体１００の上面板４００側へ流れる風量が異なってくる。したがって、この遮蔽板３１０の開閉量を調整することにより、電子基板５００の間の圧力損失が調整され、各電子基板５００に当てるファン部２１０の風量を調整することができる。
【００４４】
そして、遮蔽板３１０を通ったファン部２１０からの風は、上面板開口部４１０を介して、筐体１００の外部へ排出される。
【００４５】
次に、圧損調整部３００を用いて遮蔽板３１０を開閉する方法について図１、図２および図３に基づいて説明する。
【００４６】
通常は、図２に示されるように、複数の嵌合爪３３１および複数の嵌合爪３４１は互いに嵌合し合う。これにより、遮蔽板回転軸部３２０は、複数の嵌合爪３３１および複数の嵌合爪３４１によって、遮蔽板３１０が動かない状態になるように保持されている。
【００４７】
遮蔽板３１０を開閉したい場合、まず、遮蔽板調整用ツマミ部３３０を、図２の矢印Ａの方向に引っ張り、複数の嵌合爪３３１および複数の嵌合爪３４１が互いに嵌合しない状態にする。この状態のまま、遮蔽板調整用ツマミ部３３０を回転させることにより、遮蔽板回転軸部３２０に接合された遮蔽板３１０を図１に示す矢印αの方向に回転させる。このとき、各電子基板５００の間に通すべき風量に応じて、遮蔽板３１０を回転させる。なお、各電子基板５００の間に通すべき風量は、前述の通り、各電子基板５００上に実装された電子部品５２０の大きさや形状や数や種類などを考慮して、複数の電子基板５００間で生じる圧力損失を調整することによって、決まる。
【００４８】
次に、遮蔽板３１０を回転させた状態で遮蔽板調整用ツマミ部３３０を離す。すると、プリーロードがかけられた状態にあるスプリング３５０の反力により、遮蔽板調整用ツマミ部３３０が遮断板調整用ツマミ受け部３４０に図３の矢印Ｂの方向に押し付けられる。そして、遮蔽板調整用ツマミ部３３０の複数の嵌合爪３３１と、遮断板調整用ツマミ受け部３４０の複数の嵌合爪３４１とが、互いに嵌合し合う。これにより、遮蔽板調整用ツマミ部３３０、遮蔽板回転軸部３２０および遮蔽板３１０は、回転できなくなる。この結果、遮蔽板３１０は、フレーム６００に対して回転しない状態で保持される。
【００４９】
なお、さらに、遮蔽板３１０の開閉度合を再調整した場合には、前述のように、改めて遮蔽板調整用ツマミ部３３０を図２の矢印Ａの方向に引っ張り、複数の嵌合爪３３１および複数の嵌合爪３４１が互いに嵌合しない状態にして、遮蔽板調整用ツマミ部３３０を回転させる必要がある。
【００５０】
このように、遮蔽板３１０は、複数の嵌合爪３３１と複数の嵌合爪３４１の嵌合によって、回転しないように確実に保持されるので、ファン部２１０などを動作した際に生じる振動や遮蔽板３１０の重力などによって、遮蔽板３１０が動いてしまうことを防止できる。このため、圧力損失が変化してしまうことを防止できる。一方で、遮蔽板３１０を意図的に回転させたい場合には、遮蔽板調整用ツマミ部３３０を引っ張り、遮蔽板調整用ツマミ部３３０を回転させるだけで、簡単に遮蔽板３１０の開閉度合を調整することができる。これにより、電子基板５００の間を通る風量を簡単に増減することができる。この結果、簡単な構成で、各電子基板５００の間の圧力損失を調整でき、各電子基板５００に当てるファン部２１０の風量を容易に調整することができる。
【００５１】
なお、遮蔽板調整用ツマミ部３３０の複数の嵌合爪３３１の凹凸の大きさと、遮断板調整用ツマミ受け部３４０の複数の嵌合爪３４１の凹凸の大きさを変更することによって、遮蔽板３１０の保持位置の精度を変更することもできる。すなわち、複数の嵌合爪３３１の凹凸の大きさと複数の嵌合爪３４１の凹凸の大きさを変更すると、遮蔽板３１０の回転角度の調整可能幅を変更することができる。
【００５２】
以上の通り、本発明の第１の実施の形態における電子機器１０００は、筐体１００と、ファン部２１０と、圧損調整部３００とを備えている。筐体１００は、電子部品５２０が実装された複数の電子基板５００を互いに対向させた状態で搭載する。ファン部２１０は、筐体１００内部に搭載された複数の電子基板５００の一端部側に設けられ、複数の電子基板５００の間に風を送る。圧損調整部３００は、複数の電子基板５００の他端部側に設けられ、ファン部２１０から送出されて複数の電子基板５００の間を通る風量を調整する。
【００５３】
ここで、特許文献１に記載の技術では、ルーバを用いていたので、冷却対象物に当てる風量の調整も複雑となる問題や、温度センサや電動モータなど、調整部品を多く設ける必要が生じるので、冷却対象物に当てる風量の調整も複雑となるという問題があった。また、ファン部から送風される風の向きの調整に留まり、電子基板５００に当てる風量を調整するにも限界があった。
【００５４】
これに対して、本発明の電子機器１０００によれば、圧損調整部３００を用いて、ファン部２１０から送出されて複数の電子基板５００の間を通る風量を直接的に調整するので、特許文献１に記載の技術と比較して、簡単な構成で、電子基板５００の間を通る風に基づく圧力損失の調整も容易にでき、各電子基板５００に当てるファン部２１０の風量を容易に調整することができる。
【００５５】
また、本発明の第１の実施の形態における電子機器１０００において、圧損調整部３００は、遮蔽板３１０と、遮蔽板可動部（遮蔽板回転軸部３２０を含む。）とを備えている。遮蔽板３１０は、複数の電子基板５００の間を通る風を複数の電子基板５００の上端部側で遮蔽する。遮蔽板可動部は、複数の電子基板５００の間を通る風量を増減できるように遮蔽板３１０を移動する。これにより、遮蔽板可動部を用いて遮蔽板３１０を移動させることによって、複数の電子基板５００の間を通る風量を増減できるので、簡単な構成で、電子基板５００の間を通る風に基づく圧力損失の調整も容易にでき、各電子基板５００に当てるファン部２１０の風量を容易に調整することができる。
【００５６】
また、本発明の第１の実施の形態における電子機器１０００において、遮蔽板可動部は、遮蔽板３１０に接合された遮蔽板回転軸部３２０を備えている。そして、遮蔽板３１０を遮蔽板回転軸部３２０を中心に回転させることにより、複数の電子基板５００の間を通る風量を増減する。これにより、遮蔽板３１０を遮蔽板回転軸部３２０を中心に回転させるだけで、電子基板５００の間を通る風に基づく圧力損失の調整も容易にでき、各電子基板５００に当てるファン部２１０の風量を容易に調整することができる。
【００５７】
また、本発明の第１の実施の形態における電子機器１０００は、遮蔽板３１０が動かない状態になるように遮蔽板可動部（遮蔽板回転軸部３２０を含む。）を保持する遮蔽板保持部（複数の嵌合爪３３１、３４１、スプリング３５０を含む。）を備える。これにより、ファン部２１０などを動作した際に生じる振動や遮蔽板３１０の重力などの諸要因によって、遮蔽板３１０が動いてしまうことを防止できる。このため、前記諸要因によって電子基板５００の間を通る風に基づく圧力損失が変化してしまうことを防止でき、各電子基板５００に当てるファン部２１０の風量が変化してしまうことを防止できる。
【００５８】
また、本発明の第１の実施の形態における電子機器１０００において、遮蔽板保持部（複数の嵌合爪３３１、３４１、スプリング３５０を含む。）は、遮蔽板可動部（遮蔽板回転軸部３２０を含む。）を付勢部材（スプリング３５０）の付勢力によって保持する。これにより、例えば、ボルト類の着脱をする必要もなく、これに伴ってボルト類着脱のために筐体外面を分解する必要もない。したがって、遮蔽板保持部（複数の嵌合爪３３１、３４１、スプリング３５０を含む。）は、簡単な構成で、遮蔽板可動部（遮蔽板回転軸部３２０を含む。）を保持できる。例えば、製造中止に伴う設計変更などにより、冷却対象の電子基板５００上の電子部品５２０の形状が変更された場合であっても、変更された風路の圧力損失に合わせて、遮蔽板３１０の開閉度合を再度、簡単に調整することで、各電子基板５００に当てるファン部２１０の風量を容易に調整することができる。
【００５９】
＜第２の実施の形態＞
本発明の第２の実施の形態における電子機器１０００Ａの構成について、図に基づいて説明する。
【００６０】
図４は、電子機器１０００Ａの構成を模式的に示す断面図である。なお、図４は、紙面の上下方向を鉛直方向として示している。
【００６１】
図４に示されるように、電子機器１０００は、筐体１００と、ファンユニット２００Ａと、圧損調整部３００と、上面開口板４００とを備えている。ファンユニットは、ファン部２１０と、ファン部取り付け台２２０Ａとを含んで構成される。
【００６２】
ここで、図１と図４を比較する。図１と図４とでは、筐体１００、圧損調整部３００および上面開口板４００の構成で、共通する。一方、図４では、ファン部位置調整部７００を有している点で、これを有さない図１と相違する。また、図１では、ファンユニット２００は筐体１００に固定されている。これに対して、図４では、ファンユニット２００Ａが動けるように筐体１００に保持されている。この点でも両者は相違する。
【００６３】
すなわち、図４に示されるように、ファン部位置調整部７００がファン部２１０の下面側（図４の紙面にて下側）に設けられている。
【００６４】
ここで、ファン部位置調整部７００の構成について、図５および図６を用いて、詳しく説明する。
【００６５】
図５は、ファン部位置調整部７００の構成を説明するための図であって、ファン部２１０を固定した状態を示す図である。図６は、ファン部位置調整部７００の構成を説明するための図であって、ファン部２１０を動かせる状態を示す図である。
【００６６】
図５および図６に示されるように、ファン部調整部７００は、ピニオンギア７１０と、ラックギア７２０と、ファン部位置調整用ツマミ部７３０と、ファン部位置調整用ツマミ受け部７４０と、スプリング７５０と、スプリングストッパー部７６０と、ピニオンギア回転軸７７０と、支持フレーム７８０と、浮き上がり防止フレーム７９０とを含んで構成されている。ファン部調整部７００は、これに含まれる構成を用いて、ファン部２１０の位置を調整する。
【００６７】
図４、図５および図６に示されるように、ピニオンギア７１０は、円筒状の歯車である。ピニオンギア７１０は、ラックギア７２０と互いに噛み合っている。したがって、ピニオンギア７１０が回転すると、ラックギア７２０が移動する。ピニオンギア７１０は、ピニオンギア回転軸７７０に固定して取り付けられている。このため、ピニオンギア７１０は、ピニオンギア回転軸７７０に連動して回転する。
【００６８】
図４、図５および図６に示されるように、ラックギア７２０は、ファン部２１０のファン部取り付け台２２０Ａに取り付けられる。ラックギア７２０は、ピニオンギア７１０と互いに噛み合っている。したがって、ピニオンギア７１０が回転すると、ラックギア７２０が移動する。前述の通り、ラックギア７２０はファン部２１０のファン部取り付け台２２０Ａに取り付けられるので、ラックギア７２０の移動に伴って、ファン部２１０が図４の矢印Ｃの方向に移動する。
【００６９】
ファン部位置調整用ツマミ部７３０は、ピニオンギア回転軸７７０の一端部に取り付けられている。このファン部位置調整用ツマミ部７３０は、ピニオンギア回転軸７７０を中心にピニオンギア７１０を回転させるために、設けられている。すなわち、このファン部位置調整用ツマミ部７３０を手で摘んで、これを回転することにより、ピニオンギア７１０がピニオンギア回転軸７７０を中心に回転する。そして、ピニオンギア７１０がピニオンギア回転軸７７０を中心に回転すると、ラックギア７２０が連動して移動する。さらに、ファン部２１０がラックギア７２０の移動に伴って図４のＣの方向に移動する。このように、ファン部２１０を複数の電子基板５００の面に対して略垂直方向（図４の矢印Ｃの方向）に移動させることにより、複数の電子基板５００に対するファン部２１０の相対位置を変化させることができる。この結果、ファン部２１０により送られる冷却風の分布を変化させ、風量の配分を調整することができる。
【００７０】
図５は、ファン部位置調整用ツマミ部７３０がピニオンギア回転軸７７０の軸方向に押し込まれた状態を示す。一方、図６では、ファン部位置調整用ツマミ部７３０がピニオンギア回転軸７７０の軸方向に引き出された状態を示す。なお、ファン部位置調整用ツマミ部７３０には、後述のファン部位置調整用ツマミ受け部７４０と同様に、凹凸状の複数の嵌合爪７３１が形成されている。この複数の嵌合爪７３１の機能については、後述する。
【００７１】
なお、少なくともピニオンギア７１０、ラックギア７２０およびピニオンギア回転軸７７０は、本発明のファン部可動部を構成する。すなわち、このファン部可動部は、ピニオンギア７１０をピニオンギア回転軸７７０を中心に回転させることにより、ファン部２１０を複数の電子基板５００の面に対して略垂直方向（図４の矢印Ｃの方向）に移動させる。この結果、複数の電子基板５００に対するファン部２１０の相対位置を変化させることができる。そして、ファン部２１０により送られる冷却風の分布を変化させ、風量の配分を調整することができる。
【００７２】
ファン部位置調整用ツマミ受け部７４０は、筐体１００に固定して取り付けられている。ファン部位置調整用ツマミ受け部７４０は、筐体１００に直接的に取り付けられるのではなく、例えば筐体１００に固定されたフレーム（不図示）に取り付けられても良い。
【００７３】
このファン部位置調整用ツマミ受け部７４０は、ファン部位置調整用ツマミ部７３０の大きさに対応して形成されている。また、ファン部位置調整用ツマミ受け部７４０の中心部には、ピニオンギア回転軸７７０が貫通している。なお、ファン部位置調整用ツマミ受け部７４０には、前述のファン部位置調整用ツマミ部７３０と同様に、凹凸状の複数の嵌合爪７４１が形成されている。この複数の嵌合爪７４１の機能については、前述した複数の嵌合爪７３１と併せて、後述する。
【００７４】
スプリング７５０は、ピニオンギア回転軸７７０のうち、ファン部位置調整用ツマミ部７３０が取り付けられた側と反対側に、取り付けられている。また、スプリング７５０は、図５および図６に示されるように、筐体１００とスプリングストッパー部７６０の間に挟み込まれている。スプリング７５０の反力は、ピニオンギア回転軸７７０を介して、ファン部位置調整用ツマミ部７３０に加わる。したがって、ファン部位置調整用ツマミ部７３０は、スプリング７５０の反力によって、ファン部位置調整用ツマミ部７３０に常に押し付けられている。図５では、ファン部位置調整用ツマミ部７３０が、スプリング７５０の付勢力によって、ピニオンギア回転軸７７０の軸方向に押し込まれた状態を示す。図６では、ファン部位置調整用ツマミ部７３０が、スプリング７５０の付勢力に反して、ピニオンギア回転軸７７０の軸方向に引き出された状態を示す。
【００７５】
スプリングストッパー部７６０は、ピニオンギア回転軸７７０のうち、ファン部位置調整用ツマミ部７３０が取り付けられた側と反対側に、固定して取り付けられている。
【００７６】
ピニオンギア回転軸７７０は、円筒状の軸である。図５および図６に示されるように、ピニオンギア回転軸７７０は、２つのピニオンギア７１０を保持する。ピニオンギア回転軸７７０の両端部は、筐体１００に保持されている。なお、前述の通り、ピニオンギア回転軸７７０の両端部は、筐体１００に直接的に保持されるのではなく、例えば筐体１００に取り付けられたフレーム（不図示）などに保持されてもよい。
【００７７】
支持フレーム７８０は、ファン部２１０のファン部取り付け台２２０Ａの下面側（図５および図６にて下側）を支持する。支持フレーム７８０は、浮き上がり防止フレーム７９０とともに、ファン部取り付け台２２０Ａを挟んで保持する。なお、図５および図６の例では、支持フレーム７８０は、２つ設けられている。
【００７８】
浮き上がり防止フレーム７９０は、ファン部２１０のファン部取り付け台２２０Ａの上面側（図５および図６にて上側）を支持する。浮き上がり防止フレーム７９０は、支持フレーム７８０とともに、ファン部取り付け台２２０Ａを挟んで保持する。なお、図５および図６の例では、浮き上がり防止フレーム７９０は、支持フレーム７８０と同様に、２つ設けられている。
【００７９】
このように、ファン部取り付け台２２０Ａは、支持フレーム７８０と浮き上がり防止フレーム７９０の間に挟まれるように保持されている。このため、ファン部取り付け台２２０Ａに取り付けられたファン部２１０が、複数の電子基板５００の面の方向（図４の紙面上下方向）に移動することを抑制できる。
【００８０】
なお、ファン部取り付け台２２０Ａには、図５および図６に示されるように、ズレ防止部２２１が設けられている。このズレ防止部２２１は、ファン部取り付け台２２０Ａの下面に取り付けられている。また、ズレ防止部２２１は、一対の支持フレーム７８０の内側に、ファン部取り付け台２２０Ａの下面から突出するように設けられている。このようにして、ファン部取り付け台２２０Ａは、ピニオンギア回転軸７７０の軸方向で移動しないように、保持することができる。
【００８１】
次に、複数の嵌合爪７３１および複数の嵌合爪７４１の機能について、説明する。前述の通り、複数の嵌合爪７３１は、ファン部位置調整用ツマミ部７３０に形成されている。また、複数の嵌合爪７４１は、ファン部位置調整用ツマミ受け部７４０に形成されている。なお、複数の嵌合爪７３１および嵌合爪７４１は、前述した複数の嵌合爪３３１および嵌合爪３４１と同等の機能を果たす。
【００８２】
図５および図６に示されるように、複数の嵌合爪７３１および複数の嵌合爪７４１は、互いに向かい合うように配置される。
【００８３】
図５に示されるように、ファン部位置調整用ツマミ部７３０がピニオンギア回転軸７７０の軸方向に押し込まれた場合、複数の嵌合爪７３１および複数の嵌合爪７４１は互いに嵌合する。このとき、ピニオンギア回転軸７７０は、複数の嵌合爪７３１および複数の嵌合爪７４１の嵌合によって、ピニオンギア７１０が回転しない状態になるように保持される。この結果、ピニオンギア７１０は回転せず、ラックギア７２０も移動しない。したがって、ファン部２１０も、図４の矢印Ｃの方向に移動しない状態で、保持される。
【００８４】
図６に示されるように、ファン部位置調整用ツマミ部７３０がピニオンギア回転軸７７０の軸方向に引き出された場合、複数の嵌合爪７３１および複数の嵌合爪７４１は互いに嵌合しない。このとき、ピニオンギア７１０は、ピニオンギア回転軸７７０の軸を中心に回転することができる。すなわち、ファン部位置調整用ツマミ部７３０がピニオンギア回転軸７７０の軸方向に引き出された状態で、ファン部位置調整用ツマミ部７３０をピニオンギア回転軸７７０の軸を中心に回転することで、ピニオンギア７１０がピニオンギア回転軸７７０の軸を中心に回転する。そして、ピニオンギア７１０の回転によって、ラックギア７２０が移動する。さらに、ファン部２１０がラックギア７２０の移動に伴って図４の矢印Ｃの方向に移動する。
【００８５】
なお、少なくとも複数の嵌合爪７３１および複数の嵌合爪７４１は、本発明のファン部保持部を構成する。このファン部保持部は、ファン部２１０が動かない状態になるようにファン部可動部（ピニオンギア７１０、ラックギア７２０およびピニオンギア回転軸７７０を含む。）を保持する。
【００８６】
次に、本発明の第２の実施の形態における電子機器１０００Ａの動作説明をする。
【００８７】
図４に示されるように、ファン部２１０は、作動すると、当該ファン部２１０の下側の空気を筐体１００内の下面側から上面側へ送り始める。
【００８８】
ファン部２１０から送出される風は、保持板開口部１１２を介して、複数の電子基板５００の間へ流れる（図４の各矢印を参照。）。このとき、ファン部２１０から送出される風は複数の電子基板５００の間を通る間に、各電子基板５００を冷却する。
【００８９】
ファン部２１０から送出される風は、複数の電子基板５００の間を通って、筐体１００の上面板４００側へ流れる。
【００９０】
このとき、遮蔽板３１０の開閉量に応じて、筐体１００の上面板４００側へ流れる風量が異なってくる。したがって、この遮蔽板３１０の開閉量を調整することにより、各電子基板５００に当てるファン部２１０の風量を調整することができる。
【００９１】
また、ファン部２１０の位置によっても、複数の電子基板５００に対するファン部２１０の相対位置を変化させることができる。そして、ファン部２１０により送られる冷却風の分布を変化させ、各電子基板５００に当てるファン部２１０の風量の配分を調整することができる。
【００９２】
そして、遮蔽板３１０を通ったファン部２１０からの風は、上面板開口部４１０を介して、筐体１００の外部へ排出される。
【００９３】
次に、ファン部位置調整部７００を用いてファン部２１０の位置を調整する方法について、図４、図５および図６に基づいて説明する。
【００９４】
なお、図４に示される遮蔽板３１０の開閉方法については、第１の実施の形態で説明した通りであるので、ここでの説明を省略する。
【００９５】
通常は、図５に示されるように、複数の嵌合爪７３１および複数の嵌合爪７４１は互いに嵌合し合う。ピニオンギア回転軸７７０は、複数の嵌合爪３３１および複数の嵌合爪３４１によって、ピニオンギア７１０が動かない状態になるように保持されている。
【００９６】
ファン部２１０を移動したい場合、まず、ファン部位置調整用ツマミ部７３０を、図５の矢印Ｄの方向に引っ張り、複数の嵌合爪７３１および複数の嵌合爪７４１が互いに嵌合しない状態にする。この状態のまま、ファン部位置調整用ツマミ部７３０をピニオンギア回転軸７７０の軸を中心に回転させる。これにより、ピニオンギア回転軸７７０に取り付けられたピニオンギア７１０がピニオンギア回転軸７７０の軸を中心に回転する。ピニオンギア７１０およびラックギア７２０は互いに噛み合っているので、ピニオンギア７１０の回転によって、ラックギア７２０が取り付けられたファン部取り付け台２２０Ａが図４の矢印Ｃの方向に移動する。ファン部２１０はファン部取り付け台２２０Ａに取り付けられている。したがって、ファン部位置調整用ツマミ部７３０をピニオンギア回転軸７７０の軸を中心に回転させることにより、ファン部２１０が図４の矢印Ｃの方向に移動する。
【００９７】
次に、ファン部２１０を移動させた状態で、ファン部位置調整用ツマミ部７３０を離す。すると、プリーロードがかけられた状態にあるスプリング７５０の反力により、ファン部位置調整用ツマミ部７３０がファン部位置調整用ツマミ受け部７４０に図６の矢印Ｅの方向に押し付けられる。そして、ファン部位置調整用ツマミ部７３０の複数の嵌合爪７３１と、ファン部位置調整用ツマミ受け部７４０の複数の嵌合爪７４１とが、互いに嵌合し合う。これにより、ファン部位置調整用ツマミ部７３０、ピニオンギア回転軸７７０およびピニオンギア７１０は、回転できなくなる。この結果、ピニオンギア回転軸７７０は、ピニオンギア７１０が回転しない状態になるように保持される。すなわち、ピニオンギア７１０は回転せず、ラックギア７２０も移動しない。したがって、ファン部２１０も、図４の矢印Ｃの方向に移動しない状態で、保持される。
【００９８】
なお、さらに、ファン部２１０の位置を再調整した場合には、前述のように、改めてファン部位置調整用ツマミ部７３０を図５の矢印Ｄの方向に引っ張り、複数の嵌合爪７３１および複数の嵌合爪７４１が互いに嵌合しない状態にして、ファン部位置調整用ツマミ部７３０を回転させる必要がある。
【００９９】
このように、ファン部２１０は、複数の嵌合爪７３１と複数の嵌合爪７４１の嵌合によって、移動しないように確実に保持されるので、ファン部２１０を動作した際に生じる振動や、ファン部２１０の自重などによって、ファン部２１０が動いてしまうことを防止できる。一方で、ファン部２１０を意図的に移動させたい場合には、ファン部位置調整用ツマミ部７３０を引っ張り、ファン部位置調整用ツマミ部７３０を回転させるだけで、簡単にファン部２１０の位置を調整することができる。これにより、複数の電子基板５００に対するファン部２１０の相対位置を変化させることができる。そして、ファン部２１０により送られる冷却風の分布を変化させ、各電子基板５００に当てるファン部２１０の風量の配分を容易に調整することができる。
【０１００】
なお、ファン部位置調整用ツマミ部７３０の複数の嵌合爪７３１の凹凸の大きさと、ファン部位置調整用ツマミ受け部７４０の複数の嵌合爪７４１の凹凸の大きさを変更することによって、ファン部２１０の移動量やファン部２１０の位置の精度を変更することもできる。同様に、ピニオンギア７１０の歯の大きさと、ラックギア７２０の歯の大きさを変更することによっても、ファン部２１０の移動量やファン部２１０の位置の精度を変更することもできる。
【０１０１】
以上の通り、本発明の第２の実施の形態における電子機器１０００Ａにおいて、ファン部位置調整部を備えている。このファン部位置調整部は、複数の電子基板５００の一端部側で、ファン部２１０の位置を調整する。これにより、複数の電子基板５００に対するファン部２１０の相対位置を変化させることができる。このため、ファン部２１０により送られる冷却風の分布を変化させ、各電子基板５００の間に送り出す風量の配分を調整することができる。また、併せて、本発明の電子機器１０００Ａでは、圧損調整部３００を用いて、ファン部２１０から送出されて複数の電子基板５００の間を通る風量を直接的に調整することができる。したがって、本発明の電子機器１０００Ａによれば、各電子基板５００間に送り出すファン部２１０の風量の配分を調整しつつ、各電子基板５００に当てるファン部２１０の風量を適切に調整することができる。
【０１０２】
また、本発明の第２の実施の形態における電子機器１０００Ａにおいて、ファン部位置調整部は、ファン部可動部（ピニオンギア７１０、ラックギア７２０、ピニオンギア回転軸７７０などで構成）を備えている。そして、ファン部可動部は、ファン部２１０を複数の電子基板５００の面に対して略垂直方向に移動させる。これにより、ファン部可動部を用いてファン部２１０を移動させることによって、複数の電子基板５００に対するファン部２１０の相対位置を変化させることができるので、各電子基板５００の間に送り出す風量の配分を容易に調整することができる。
【０１０３】
また、本発明の第２の実施の形態における電子機器１０００Ａにおいて、ファン部可動部は、円筒状の歯車であるピニオンギア７１０と、ピニオンギア回転軸７７０と、ラックギア７２０とを備えている。ピニオンギア回転軸７７０は、ピニオンギア７１０が取り付けられ、筐体１００に保持される。ラックギア７２０は、ファン部２１０に取り付けられ、ピニオンギア７２０と噛みあう。そして、ピニオンギア７１０をピニオンギア回転軸７７０を中心に回転させることにより、ファン部２１０を複数の電子基板５００の面に対して略垂直方向に移動させる。これにより、ピニオンギア７１０をピニオンギア回転軸７７０を中心に回転させるだけで、複数の電子基板５００に対するファン部２１０の相対位置を簡単に変化させることができる。この結果、各電子基板５００の間に送り出す風量の配分を容易に調整することができる。
【０１０４】
また、本発明の第２の実施の形態における電子機器１０００Ａにおいて、ファン部２１０が動かない状態になるようにファン部可動部（ピニオンギア７１０、ピニオンギア回転軸７７０およびラックギア７２０を含む。）を保持するファン部保持部（複数の嵌合爪７３１、７４１、スプリング７５０を含む。）を備える。これにより、ファン部２１０などを動作した際に生じる振動やファン部２１０の自重などによって、ファン部２１０が動いてしまうことを防止できる。
【０１０５】
また、本発明の第２の実施の形態における電子機器１０００Ａにおいて、ファン部保持部（複数の嵌合爪７３１、７４１、スプリング７５０を含む。）は、ファン部可動部（ピニオンギア７１０、ピニオンギア回転軸７７０およびラックギア７２０を含む。）を付勢部材（スプリング７５０）によって保持する。これにより、例えば、ボルト類の着脱をする必要もなく、これに伴ってボルト類着脱のために筐体外面を分解する必要もない。したがって、簡単な構成で、ファン部保持部（複数の嵌合爪７３１、７４１、スプリング７５０を含む。）は、ファン部可動部（ピニオンギア７１０、ピニオンギア回転軸７７０およびラックギア７２０を含む。）を保持できる。
【０１０６】
＜第３の実施の形態＞
本発明の第３の実施の形態における電子機器１０００Ｂの構成について、図に基づいて説明する。
【０１０７】
図７は、電子機器１０００Ｂの構成を模式的に示す外観図である。なお、図７は、紙面の上下方向を鉛直方向として示している。
【０１０８】
図７に示されるように、電子機器１０００Ｂでは、遮蔽板位置表示部８００と、ファン部位置表示部９００とが、筐体１００の外面側に設けられている。
【０１０９】
なお、電子機器１０００Ｂの内部構成は、図４に示した電子機器１０００Ａと同様である。
【０１１０】
図７に示されるように、遮蔽板位置表示部８００は、筐体１００の外面側であって、遮蔽板３１０（図４を参照。）に対応する位置に設けられている。
【０１１１】
遮蔽板位置表示部８００は、つまみ目印８１０と、角度目盛り８２０とを含んで構成される。つまみ目印８１０は、遮蔽板３１０の面に平行な角度になるように、設けられている。つまみ目印８１０は、遮蔽板３１０の回転とともに回転する。角度目盛り８２０は、筐体１００の外面に印刷などにより設けられる。
【０１１２】
このように、本発明の第３の実施の形態における電子機器１０００Ｂにおいて、遮蔽板３１０の位置を示す遮蔽板位置表示部８００を備えたので、遮蔽板３１０の開閉の調整を目視しながら行える。この結果、各電子基板５００に当てるファン部２１０の風量を目視しながら容易に調整することができる。
【０１１３】
図７に示されるように、ファン部位置表示部９００は、筐体１００の外面側であって、ファン部２１０（図４を参照。）に対応する位置に設けられている。
【０１１４】
ファン部位置表示部９００は、ファン目印９１０と、位置目盛り９２０と、位置確認窓９３０とを含んで構成される。ファン目印９１０は、ファン部２１０またはファン部取り付け台２２０Ａに取り付けられている。ファン目印９１０は、ファン部２１０の移動量に応じて、図７の紙面にて左右方向に移動する。位置目盛り９２０は、筐体１００の外面に印刷などにより設けられる。位置確認窓９３０は、ファン目印９１０の移動位置に応じて筐体１００に設けられた開口である。
【０１１５】
このように、本発明の第３の実施の形態における電子機器１０００Ｂにおいて、ファン部２１０の位置を示すファン部位置表示部９００を備えたので、ファン部２１０の位置の調整を目視しながら行える。この結果、各電子基板５００の間に送り出す風量の配分を目視しながら容易に調整することができる。
【０１１６】
なお、本実施の形態では、遮蔽板位置表示部８００およびファン部位置表示部９００の双方が、筐体１００の外面側に設けられる例を示した。しかしながら、遮蔽板位置表示部８００またはファン部位置表示部９００のいずれか一方のみを備えてもよい。
【０１１７】
以上、実施の形態をもとに本発明を説明した。実施の形態は例示であり、本発明の主旨から逸脱しない限り、上述各実施の形態に対して、さまざまな変更、増減、組合せを加えてもよい。これらの変更、増減、組合せが加えられた変形例も本発明の範囲にあることは当業者に理解されるところである。
【０１１８】
また、前記の第１〜第３の実施形態の一部又は全部は、以下のようにも記載されうるが、以下に限られない。
［付記１］
電子部品が実装された複数の電子基板を互いに対向させた状態で搭載するための筐体と、
前記筐体内部に搭載された前記複数の電子基板の一端部側に設けられ、前記複数の電子基板の間に風を送るファン部と、
前記複数の電子基板の他端部側に設けられ、前記ファン部から送出されて前記複数の電子基板の間を通る風量を調整する圧損調整部とを備えた電子機器。
［付記２］
前記圧損調整部は、
前記複数の電子基板の間を通る風を前記複数の電子基板の上端部側で遮蔽する遮蔽板と、
前記複数の電子基板の間を通る風量を増減できるように前記遮蔽板を移動する遮蔽板可動部とを備えた付記１に記載の電子機器。
［付記３］
前記遮蔽板可動部は、
前記遮蔽板に接合された遮蔽板回転軸部を備え、
前記遮蔽板を前記遮蔽板回転軸部を中心に回転させることにより、前記複数の電子基板の間を通る風量を増減する付記２に記載の電子機器。
［付記４］
前記遮蔽板が動かない状態になるように前記遮蔽板可動部を保持する遮蔽板保持部を備えた請求項２または３に付記の電子機器。
［付記５］
前記遮蔽板保持部は、前記遮蔽板可動部を付勢部材によって保持する付記４に記載の電子機器。
［付記６］
前記遮蔽板の位置を示す遮蔽板位置表示部を備えた付記１〜５のいずれか１項に記載の電子機器。
［付記７］
前記複数の電子基板の一端部側で、前記ファン部の位置を調整するファン部位置調整部を備えた付記１〜６のいずれか１項に記載の電子機器。
［付記８］
前記ファン部位置調整部は、
前記ファン部を前記複数の電子基板の面に対して略垂直方向に移動させるファン部可動部を備えた付記７に記載の電子機器。
［付記９］
前記ファン部可動部は、
円筒状の歯車であるピニオンギアと、
前記ピニオンギアが取り付けられ、前記筐体に保持されたピニオンギア回転軸と、
前記ファン部に取り付けられ、前記ピニオンギアと噛みあうラックギアとを備え、
前記ピニオンギアを前記ピニオンギア回転軸を中心に回転させることにより、前記ファン部を前記複数の電子基板の面に対して略垂直方向に移動させる付記８に記載の電子機器。
［付記１０］
前記ファン部が動かない状態になるように前記ファン部可動部を保持するファン部保持部を備えた付記８または９に記載の電子機器。
［付記１１］
前記ファン部保持部は、前記ファン部可動部を付勢部材によって保持する付記１０に記載の電子機器。
［付記１２］
前記ファン部の位置を示すファン部位置表示部を備えた付記７〜１０のいずれか１項に記載の電子機器。
【符号の説明】
【０１１９】
１００  筐体
１１０  中間板
１１１  コネクタ
１１２  中間板開口部
１２０  ファン部保持板
１２１  保持板開口部
２００  ファンユニット
２００Ａ  ファンユニット
２１０  ファン部
２２０  ファン部取り付け台
２２０Ａ  ファン部取り付け台
３００  圧損調整部
３１０  遮蔽板
３２０  遮蔽板回転軸
３３０  遮蔽板調整用ツマミ部
３３１  嵌合爪
３４０  遮蔽板調整用ツマミ受け部
３４１  嵌合爪
３５０  スプリング
３６０  スプリングストッパー部
４００  上面板
４１０  上面開口部
５００  電子基板
６００  フレーム
７００  ファン部位置調整部
７１０  ピニオンギア
７２０  ラックギア
７３０  ファン部位置調整用ツマミ部
７３１  嵌合爪
７４０  ファン部位置調整用ツマミ受け部
７４１  嵌合爪
７５０  スプリング
７６０  スプリングストッパー部
７７０  ピニオンギア回転軸
７８０  支持フレーム
７９０  浮き上がり防止フレーム
８００  遮蔽板位置表示部
８１０  つまみ目印
８２０  角度目盛り
９００  ファン部位置表示部
９１０  ファン目印
９２０  位置目盛り
９３０  位置確認窓
１０００  電子機器
１０００Ａ  電子機器
【図１】
2013235995.tif 000003
【図２】
2013235995.tif 000004
【図３】
2013235995.tif 000005
【図４】
2013235995.tif 000006
【図５】
2013235995.tif 000007
【図６】
2013235995.tif 000008
【図７】
2013235995.tif 000009